(57)【要約】      （修正有）【課題】安全な原子力発電と安全な高速増殖炉と放射能除去方法を提供する。【解決手段】原子炉建屋の上部の冷却水貯蔵プ−ルからパイプで原子炉圧力容器に繋がっており何かの緊急事態には手動でもバルブを開けられるようにして冷却水を原子炉圧力容器の中に入れて緊急事態が解決するまで持たせる装置、メルトダウンが起きた場合は溶融した燃料ペレットが原子炉圧力容器の下側、原子炉格納容器の下側、原子炉建屋の床も通り抜けて多く置いてある中性子吸収物質の中に入って溶融している燃料ペレットと中性子吸収物質とが混じって燃料ペレットは核分裂が止まってその下側や周りに有る大量の水に触れて燃料ペレットは冷やされてメルトスル−は起きない装置を備える。【選択図】図１
2016048249.tif 000002
【特許請求の範囲】
【請求項１】
もし何かの緊急事態で核分裂が起きている原子炉圧力容器の中の冷却水が減少や無くなった場合は、原子炉圧力容器と原子炉格納容器が入っている原子炉建屋の上部に冷却水をプ−ル状に貯めておく装置、でその冷却水貯蔵プ−ルからパイプで原子炉圧力容器に繋がっており何かの緊急事態には手動でもバルブを開けられるようにして冷却水を原子炉圧力容器の中に入れて緊急事態が解決するまで持たせる装置、
もし冷却水が補給されないなどの緊急事態で燃料ペレットが高温になってメルトダウンになった場合はそれ以上の悪化状態のメルトスル−にならなくする為に原子炉圧力容器の下側に原子炉格納容器の下側に原子炉建屋の下側に中性子吸収物質を多く置いておく装置、でその下側や周りに水を大量に置いておく装置、もしメルトダウンが起きた場合は溶融した燃料ペレットが原子炉圧力容器の下側を通りぬけて原子炉格納容器の下側を通り抜けて原子炉建屋の床も通り抜けて多く置いてある中性子吸収物質の中に入って溶融している燃料ペレットと中性子吸収物質とが混じって燃料ペレットは核分裂が止まってその下側や周りに有る大量の水に触れて燃料ペレットは冷やされて行ってメルトスル−は起きない装置、
原子炉建屋の下側にまで溶融した燃料ペレットが行かないうちに原子炉圧力容器の下側に中性子吸収物質とその周りや下側に水を置いた場合でもそれらの作用によってメルトスル−は防げる装置、
原子炉建屋の下側まで溶融した燃料ペレットが行かないうちに原子炉格納容器の下側に中性子吸収物質とその周りや下側に水を置いた場合でもそれらの作用によってメルトスル−は防げる装置、
原子炉圧力容器と原子炉格納容器と原子炉建屋の３か所にすべてに中性子吸収物質とその周りや下側に水を置く施設を設置することで何重もの安全状態でメルトスル−が防げる装置、
【発明の詳細な説明】
【技術分野】
【０００１】
原子力発電が何重にもの安全装置で守られていても何かの緊急事態で冷却水が補給できない場合にもウラン燃料ペレット１つとウラン燃料ペレット１つとの間には中性子吸収物質を置いて中性子吸収物質が溶融してウラン燃料ペレットの周りにとりついて核分裂を抑えて崩壊熱も抑えてメルトダウンやメルトスル−しにくい技術、高速増殖炉では液体ナトリュウムは使わなく中性子を高速に跳ね返す他の物質を使う、中性子を高速に跳ね返す物質を容器に入れてそこから外側に有る冷却水を過熱蒸気や過熱高温水にして発電する、中性子を高速に跳ね返す物質を配管の中を長く移動させない、液体ナトリュウムを使用する場合は冷却水と液体ナトリュウムが入っている容器との間は２重構造以上にする、高レベル放射能廃棄物の有効利用や放射能汚染物質の除去方法、
【背景技術】
【０００２】
今までの原子力発電は何重もの安全装置になっていても何かの緊急事態で冷却水が補給されないと中性子吸収制御棒を注入してもウラン燃料ペレットで核分裂はすべてすぐに止まらなく崩壊熱も出ていてウラン燃料ペレットは非常に高温になってメルトダウン、メルトスル−になって大事故になって行く、高速増殖炉では中性子を跳ね返して冷却に使うのに液体ナトリュウムを使用していてナトリュウムは酸化力が非常に強く水の酸素ともすぐに反応して大事故へとなって行く、高レベル放射能廃棄物の有効利用はなく処分に困っている、放射能汚染物質の除去と処理に困っている、
【発明の開示】
【課題を解決するための手段】
【０００３】
何重にも安全装置になっている原子力発電で何かの緊急事態で冷却水が補給されなくてもウラン燃料ペレット１つとウラン燃料ペレット１つとの間に中性子吸収物質を置いて中性子吸収物質が溶融してウラン燃料ペレットの周りにとりついて核分裂をすべてすぐに停止して崩壊熱もそんなに出ないようにしてメルトダウンやメルトスル−などが起きないようにして大事故へとならないようにする、
高速増殖炉では中性子を高速に跳ね返す物質に液体ナトリュウムでなく他の中性子を高速に跳ね返す物質を使用するのと冷却には水を使用する、中性子を高速に跳ね返す物質を容器の中に入れてその外側には冷却水を置いて過熱蒸気や過熱高温水にして発電する、中性子を高速に跳ね返す物質を配管の中を長く移動させない、液体ナトリュウムを使用する場合は液体ナトリュウムが入っている容器と冷却水との間を２重構造以上にする、高レベル放射能廃棄物を細かくしてゲルマニュウム半導体や太陽光発電素子を使用して発電を起こして利用する、放射能汚染物質の中の放射能を放射能とくっ付きやすい物質でくっ付けて除去する、
何重にも安全装置になっている原子力発電で何かの緊急事態で冷却水が補給されなく中性子吸収制御棒を注入してもウラン燃料ペレットの集合体と集合体との間に中性子吸収制御棒が入るのでウラン燃料ペレット集合体の中でのウラン燃料ペレットの間では中性子が飛び交って少しではあるが核分裂を続けているのであってそれと崩壊熱も出ていてウラン燃料ペレットは非常に高温になるのでそれを解決すね為にはウラン燃料ペレット一つとウラン燃料ペレット一つとの間に中性子吸収物質を置いてある中性子吸収物質が溶融してウラン燃料ペレット１つ１つの回り一面に覆う事でウラン燃料ペレット一つ一つの核分裂は止まって崩壊熱も溶融している中性子吸収物質に熱が移行してウラン燃料ペレットは高温にはならなくその間に緊急事態を解決してメルトダウンやメルトスル−などは起きなく大事故へとはならない、
高速増殖炉では中性子を跳ね返す物質に液体ナトリュウムではなく他の中性子を跳ね返す物質を使用して冷却には水を使用する、
中性子を高速で跳ね返す物質を容器に入れてその外側に冷却水を置いて過熱蒸気や過熱高温水にして発電する、中性子を高速に跳ね返す物質を配管の中を長く移動させない、
液体ナトリュウムを使用する場合は液体ナトリュウムが入っている容器と冷却水との灰田を２重構造以上にする、
高レベル放射能廃棄物を細かくして両端からゲルマニゥム半導体や太陽光発電素子で挟んで電気を起こさせる、
放射能汚染物質の中の放射能とくっ付きやすい物質でくっ付けて放射能を除去する、
【発明の効果】
【０００４】
火力発電などではもし事故が起きてもその火力発電所の地域だけに被害が及ぶが別にこれもいいことではないが、原子力発電で事故が起きれば放射能が広範囲にわたって汚染されて非常に危なくて人などは住むことが出来なく健康的にも経済的にもいろいろな事に多大な被害が被るのであってだからこそ原子力発電の場合は１００％安全でなくてはいけないのであってその技術が確立するまでに原子力発電を稼働するものでない、その安全性が高い原子力発電の技術の一つがウラン燃料ペレットが高温になるとウラン燃料ペレット一つ一つの間に置いてあった中性子吸収物質が溶融してそれがウラン燃料ペレット１つ１つの回り一面に覆ってウラン燃料ペレットが非常に高温になるのを防ぐ、その間に緊急事態を解決してメルトダウンやメルトスル−を起こさない、
高速増殖炉でも事故が起きると広範囲にわたって放射能に汚染されてい人間なども住めなくいろいろな事で多大な被害を被ってしまうので中性子を高速に跳ね返す物質で冷却にも使用している液体ナトリュウムを使用するのでなくて他の中性子を高速に跳ね返す物質を使用して冷却に水を使用して事故が起きにくくすることで有るのと、中性子を高速で跳ね返す物質を容器に入れてその外側に冷却水を置いて過熱蒸気や過熱高温水にして発電する、
中性子を高速に跳ね返す物質を配管で長く移動させない、
液体ナトリュウムを使用する場合は液体ナトリュウムが入っている容器と冷却水との間は２重構造以上にする、
ウラン２３８からプルトニウム２３９が造られてエネルギ−が増殖される、
高レベル放射能廃棄物を発電に使用することで限りある資源のエネルギ−の足しになる、放射能汚染物質から放射能を除去することで農地や校庭や山川海や住宅地などでの放射能汚染物質が除去されて今まで通りの生活が送れる、
【発明を実地するための最良の形態】
【０００５】
請求項１の何かの緊急事態で核分裂が起きている原子炉圧力容器の中の冷却水が減少や無くなった場合には原子炉圧力容器と原子炉格納容器が入っている原子炉建屋の上部に図１の７４の様に冷却水をプ−ル状にして貯蔵しておいて冷却水貯蔵プ−ルと原子炉圧力容器とは７５の様にパイプとで繋がっており何かの緊急事態で原子炉圧力容器の中の冷却水が減少や無くなったりした場合には冷却水貯蔵プ−ルから原子炉圧力容器に繋がっているパイプのバルブを開ける電源が失っている場合もあるので７６の様に手動でも開けられるようにして冷却水を原子炉圧力容器の中に入れて緊急事態が解決するまでの間事故のない様に持たせる、
【０００６】
請求項１のもし冷却水が補給されないなどの緊急事態で燃料ペレットが高温になってメルトダウンが起きた場合はそれ以上の悪化のメルトスル−状態になるのを防ぐために原子炉圧力容器の下側や原子炉格納容器の下側や原子炉建屋の下側に中性子吸収物質を多く置いてその中性子吸収物質の周りや下側に大量の水を置いておき、
もしメルトダウンが起きた場合は溶融した燃料ペレットが原子炉圧力容器の下を通り抜けて原子炉格納容器の下を通り抜けて原子炉建屋の床も通り抜けるとその下側に有る多くの中性子吸収物質と溶融している燃料ペレットが混じり合って核分裂は止まってその下側や周りに大量にある水によって冷却されて行ってメルトスル−は起きない、
原子炉建屋の下側にまで溶融した燃料ペレットが行かないうちに原子炉圧力容器の下側に中性子吸収物質とその周りや下側に水を置いた場合でもそれらの作用によってメルトスル−は防げる、
原子炉建屋の下側まで溶融した燃料ペレットが行かないうちに原子炉格納容器の下側に中性子吸収物質とその周りや下側に水を置いた場合でもそれらの作用によってメルトスル−は防げる、
原子炉圧力容器と原子炉格納容器と原子炉建屋の３か所にすべてに中性子吸収物質とその周りや下側に水を置く施設を設置することで何重もの安全状態でメルトスル−が防げる、
【産業上の利用可能性】
【０００７】
地球上のエネルギ−は自然を生かした発電やエネルギ−を利用した再生エネルギ−が非常にいいがそれだけではエネルギ−の足りないところが有り化石燃料も永遠に続くものでないので原子力発電や高速増殖炉発電などはこれからも大事なエネルギ−源になるが事故が起きればそれは人類や他の動植物や地球上に多大の被害が及んでそれが長い年月非常に被害を与えるのであって原子力発電や高速増殖炉発電は何重にもの安全装置になっているようにしなくてはいけないしもし事故が起きも最小限で抑えて１００パ−セント安全でなくてはいけない、この特許の技術を使って原子力発電や高速増殖炉発電を行うと地球上のエネルギ−問題も解決するところが有る、
【図面の簡単な説明】
【０００８】
図１    何かの緊急事態で冷却水などが補給されなく電源も切れて補助電源も稼働しない場合などは原子炉建屋の上部に７４の様に貯水槽を置いて有って手動でも原子炉圧力容器の中に冷却水として注入することが出来る、
【符号の説明】
【０００９】
２１    原子炉圧力容器
７３    原子炉格納容器、
７４    何かの緊急事態で冷却水が補給されないなどの場合は原子力建屋の上部に冷却水用貯水槽を備えていて緊急事態時には手動でも冷却水を原子力圧力容器の中に補給する、その冷却水用貯水槽、
７５    ７４の緊急冷却水用貯水槽から原子炉圧力容器の中に入れるパイプ、
７６    ７４の緊急冷却水用貯水槽から原子炉圧力容器の中に入れるパイプのバルブ、
【図１】
2016048249.tif 000003